(57)【要約】      （修正有）【課題】カバーを所望通りに開くことが出来、ヒンジおよびそのヒンジを備えた電子機器を提供する。【解決手段】カバーと電子機器のベースの間に設けられる。この蓋は、上記ヒンジを覆い、ベースに安全に取り付けられる。このヒンジは、２つのカム翼（ｗｉｎｇ）、２つのチルト軸、および２つの作動盤を有する。該チルト軸は、上記カム翼を突き抜けて可動自在に設けられている。上記作動盤は、上記チルト軸の周りに各々設けられている。各作動盤は、上記カム翼の外縁に沿って摺動する作動突起を有する。上記カバーがある角度に回動すると、上記作動突起は、大径を有するカム翼の一部で摺動して、上記カバーを開くと、該カバーは、上記蓋から選択的に遠のく。従って、電子機器の形状は損なわれず、そして、カバーは蓋に干渉しない。【選択図】図１
0003152020.tif 000002
【実用新案登録請求の範囲】
【請求項１】
側端を有する取付翼と、および、外端と上記カム翼を貫いて形成される長孔を有し、上記側端に形成されるカム翼を、それぞれが有する、２つのチルトブラケットから成るブラケット組立体と；
上記チルトブラケットの間に取り付けられ、第１端と、該第１端の反対側にある第２端と、第側面と、第１および第２端に隣接する第２側面を有する中央フレームと、
上記中央フレームの第１および第２端にそれぞれ形成され、横軸方向に突出し、該チルトブラケットの長孔を貫いてそれぞれ可動自在に取り付けられる２つのチルト軸と、
上記チルト軸の周りにそれぞれ取付られ、対応するチルトブラケットのカム翼に当接する当接面と、作動盤の当接面に形成され、対応するチルトブラケットのカムの外端に沿ってスライドする当接面に形成される作動突起と、および、対応するチルト軸の形状に符合するように設計された中央孔を、それぞれが有する、２つの作動盤から成り、上記ブラケット組立体に連結される、チルト組立体と；および
上記チルト組立体に連結され、上記中央フレームを貫いて回転自在に縦軸方向に取り付けられる回転組立体と；
から構成されることを特徴とするヒンジ。
【請求項２】
上記ブラケット組立体が、上記回転組立体の回転軸に確実に取り付けられる回転ブラケットを有する
ことを特徴とする請求項１に記載のヒンジ。
【請求項３】
上記チルト組立体の中央フレームが、上記中央フレームの第１および第２側面を貫いて形成される取付孔と、該中央フレームの第２側面に形成され、縦軸方向に突出する規制突起と、および、上記第２側面に形成され、取付孔に当接する２つの位置決め突起を有し、
上記回転組立体の回転軸が、非円形断面を有し、上記中央フレームの大２側面を貫いて突出する取付部分を有し、および
上記回転組立体が、
上記回転軸の取付部分の周りにスライド自在に取り付けられ、上記中央フレームの第２側面に面する隣接面と、上記位置決め座金の隣接面に形成され、上記中央フレームの位置決め突起に選択的に係合する２つの位置決め溝と、上記回転軸の取付部分の形状に符合するように形成された中央孔を有する位置決め座金と、
上記回転軸の取付部分の周りに設けられ、位置決め座金に隣接する複数の弾性座金と、
上記回転軸の取付部分の周りに設けられ、環状端と、上記規制リングの環状端に横軸方向に形成され、上記中央フレームの規制突起に選択的に隣接する規制リングと、
上記回転軸の取付部分の形状に符合するように形成された中央孔と、および、上記回転軸の取付部分の周りに確実に取り付けられる固定リングと、
を有する、
ことを特徴とする請求項１に記載のヒンジ。
【請求項４】
上記チルト組立体の中央フレームが、
上記中央フレームの第１および第２側面を貫いて形成される取付孔と、上記中央フレームの第２側面に設けられ、縦軸方向に突出する規制突起と、および、上記第２側面に形成され、上記取付孔に当接する２つの位置決め突起とを有し、
上記回転組立体の回転軸が
非円形断面を有し、上記中央フレームの第２側面を貫いて突出する取付部分を有し、および
上記回転組立体が、
上記回転軸の取付部分の周りにスライド自在に設けられ、上記中央フレームの第２側面に面する隣接面と、上記位置決め座金の隣接面に形成され、上記中央フレームの位置決め突起に選択的に係合する２つの位置決め溝と、および、上記回転軸の取付部分の形状に符合するように形成された中央孔と、を有する位置決め座金と、上記回転軸の取付部分の周りに設けられ、位置決め座金に隣接する複数の弾性座金と、回転軸の取付部分の周りに設けられ、環状端と、規制リングの環状端に横軸方向に形成され、上記中央フレームの規制突起に選択的に当接する規制突起と、および、回転軸の取付部分の形状に符合するように形成された中央孔と、を有する規制リングと、および、上記回転軸の取付部分の周りに確実に取り付けられる固定リングと、を有する、
ことを特徴とする請求項２に記載のヒンジ。
【請求項５】
上記各チルトブラケットの取付翼が、上記取付翼の側端近くの取付翼に形成される規制溝を有し、および
上記チルト組立体の各固定リングが、環状端と、および、上記固定リングの環状端に横軸方向に改正され、対応するチルトブラケットの取付翼の規制溝に選択的に当接する規制突起と、と有する、
ことを特徴とする請求項１に記載のヒンジ。
【請求項６】
上記各チルトブラケットの取付翼が、上記取付翼の側端近くの取付翼に形成された規制溝を有し、および、
上記チルト組立体の各固定リングが、
環状端と、上記固定リングの環状端に横軸方向に形成され、対応するチルトブラケットの取付翼の規制溝に選択的に当接する規制突起と、
を有する
ことを特徴とする請求項４に記載のヒンジ。
【請求項７】
上記チルト組立体が、上記チルト軸の周りに取り付けられる複数の摩擦座金を有する
ことを特徴とする請求項１に記載のヒンジ。
【請求項８】
上記チルト組立体が、上記チルト軸の周りに取り付けられた複数の摩擦座金を有する
ことを特徴とする請求項６に記載のヒンジ。
【請求項９】
ベースと、カバーと、ヒンジと、蓋から構成される電子機器であって、
上記ヒンジが、上記ベースとカバーの間に連結され、
側端を有する取付翼と、および、外端と上記カム翼を貫いて形成される長孔を有し、上記側端に形成されるカム翼を、それぞれが有する、２つのチルトブラケットから成るブラケット組立体と、
上記チルトブラケットの間に取り付けられ、第１端と、該第１端の反対側にある第２端と、第側面と、第１および第２端に隣接する第２側面を有する中央フレームと、
上記中央フレームの第１および第２端にそれぞれ形成され、横軸方向に突出し、該チルトブラケットの長孔を貫いてそれぞれ可動自在に取り付けられる２つのチルト軸と、
上記チルト軸の周りにそれぞれ取付られ、対応するチルトブラケットのカム翼に当接する当接面と、作動盤の当接面に形成され、対応するチルトブラケットのカムの外端に沿ってスライドする当接面に形成される作動突起と、および、対応するチルト軸の形状に符合するように設計された中央孔を、それぞれが有する、２つの作動盤から成り、上記ブラケット組立体に連結される、チルト組立体と、および
上記チルト組立体に連結され、上記中央フレームを貫いて回転自在に縦軸方向に取り付けられる回転組立体と、
から構成され、および、
上記ヒンジを覆い、上記ベースに確実に取り付けられる蓋と；
から構成されることを特徴とする電子機器。
【請求項１０】
上記ブラケット組立体が、上記ブラケット組立体が、上記回転組立体の回転軸に確実に取り付けられる回転ブラケットを有し、上記カバーに確実に取り付けられる、
ことを特徴とする請求項９に記載の電子機器。
【請求項１１】
上記チルト組立体の中央フレームが、
上記中央フレームの第１および第２側面を貫いて形成される取付孔と、上記中央フレームの第２側面に設けられ、縦軸方向に突出する規制突起と、および、上記第２側面に形成され、上記取付孔に当接する２つの位置決め突起とを有し、
上記回転組立体の回転軸が
非円形断面を有し、上記中央フレームの第２側面を貫いて突出する取付部分を有し、および
上記回転組立体が、
上記回転軸の取付部分の周りにスライド自在に設けられ、上記中央フレームの第２側面に面する隣接面と、上記位置決め座金の隣接面に形成され、上記中央フレームの位置決め突起に選択的に係合する２つの位置決め溝と、および、上記回転軸の取付部分の形状に符合するように形成された中央孔と、を有する位置決め座金と、上記回転軸の取付部分の周りに設けられ、位置決め座金に隣接する複数の弾性座金と、回転軸の取付部分の周りに設けられ、環状端と、規制リングの環状端に横軸方向に形成され、上記中央フレームの規制突起に選択的に当接する規制突起と、および、回転軸の取付部分の形状に符合するように形成された中央孔と、を有する規制リングと、および、上記回転軸の取付部分の周りに確実に取り付けられる固定リングと、を有する、
ことを特徴とする請求項９または１０に記載の電子機器。
【請求項１２】
上記各チルトブラケットの取付翼が、上記取付翼の側端近くの取付翼に形成される規制溝を有し、および
上記チルト組立体の各固定リングが、環状端と、および、上記固定リングの環状端に横軸方向に改正され、対応するチルトブラケットの取付翼の規制溝に選択的に当接する規制突起と、と有する、
ことを特徴とする請求項９ないし１１のいずれかの項に記載の電子機器。
【請求項１３】
上記チルト組立体が、上記チルト軸の周りに取り付けられる複数の摩擦座金を有する
ことを特徴とする請求項９ないし１２のいずれかの項に記載の電子機器。
【考案の詳細な説明】
【技術分野】
【０００１】
本考案は、ヒンジおよびそのヒンジを備えた電子機器に関し、特に、カバーおよび電子機器のベース間に設けられ、カバーが回動している間にこれを開くヒンジおよびそのヒンジを備えた電子機器に関する。
【背景技術】
【０００２】
第７図および第８図において、携帯電話やノート型コンピュータなどの従来型電子機器は、ベース９０，９０Ａ、カバー９２，９２Ａ、従来型ヒンジ９１，９１Ａ、蓋９３，９３Ａを有する。該従来型ヒンジ９１，９１Ａは、上記ベース９０，９０Ａとカバー９２，９２Ａの間に設けられて、該カバー９２，９２Ａを該ベース９０，９０Ａに対して回動可能とする。上記蓋９３，９３Ａは、上記ベース９０，９０Ａに取り付けられ、上記従来型ヒンジ９１，９１Ａを覆って、従来型電子機器を装飾する。
【０００３】
上記カバー９２，９２Ａが上記ベース９０，９０Ａに対して回動すると、上記蓋９３，９３Ａが該カバー９２，９２Ａの端部に当接して、該カバー９２，９２Ａの回動を阻止する。該カバー９２，９２Ａと該蓋９３，９３Ａとの当接を解消するために、次のような２つの従来方法がある。
【０００４】
図７に、１つの従来型電子機器を示す。カバー９２に近い蓋９３の端部は、傾斜面９４を有する。該カバー９２は該傾斜面９４に沿って回動するので、該蓋９３は該カバー９２の回動を阻止することはない。しかしながら、該傾斜面９４は、従来型電子機器の全体の外観を損なう。
【０００５】
図８に、もう１つの従来型電子機器を示す。上記カバー９２Ａと上記蓋９３Ａの間には、隙間が形成されている。従って、該カバー９２Ａは、これが回動する際に、該蓋９３Ａから遠のいている。しかしながら、この隙間は、従来型電子機器の外観を損なうだけでなく、該従来型電子機器のザイズを増大させることになる。
【０００６】
したがって、カバー９２，９２Ａと蓋９３，９３Ａとの当接を解消するための上記従来方法は、従来型電子機器の外観を損ない、該従来型電子機器のサイズを増大させる。従来型電子機器の外観を損ない、該従来型電子機器のサイズを増大させることは、市場の要請に逆らうことになる。
【０００７】
これらの欠点を克服するために、本考案は、上述の問題点を緩和し、或いは、除去することができるヒンジおよび該ヒンジを備えた電子機器を提供する。
【考案の概要】
【考案が解決しようとする課題】
【０００８】
本考案の主な目的は、カバーを所望通りに開くことが出来、ヒンジおよびそのヒンジを備えた電子機器を提供することを課題とする。
【０００９】
本考案の他の目的、利点および新規な特徴は、添付図面と共に、以下の詳細な記載から更に明らかとなる。
【課題を解決するための手段】
【００１０】
本考案のヒンジは、カバーと電子機器のベースの間に設けられる。この蓋は、上記ヒンジを覆い、ベースに安全に取り付けられる。このヒンジは、２つのカム翼（wing）、２つのチルト軸、および２つの作動盤を有する。該チルト軸は、上記カム翼を突き抜けて可動自在に設けられている。上記作動盤は、上記チルト軸の周りに各々設けられている。各作動盤は、上記カム翼の外縁に沿って摺動する作動突起を有する。上記カバーがある角度に回動すると、上記作動突起は、大径を有するカム翼の一部で摺動して、上記カバーを開くと、該カバーは、上記蓋から選択的に遠のく。従って、電子機器の形状は損なわれず、そして、カバーは蓋に干渉しない。
【考案の効果】
【００１１】
本考案のヒンジおよびそのヒンジを備えた電子機器は、上記カバーが或る角度に回転すると、上記ヒンジはカバーを円滑にリフトアップする。従って、上記電子機器の形状は、その外観を損なうものではなく、上記カバーは上記蓋に干渉しない。従って、上述の電子機器は小さいコンパクトなサイズとすることができ、上記カバーが円滑に回転して、非常に美しい形状とすることができる。
【図面の簡単な説明】
【００１２】
【図１】本考案に従うヒンジの一部分解斜視図である。
【図２】図１のヒンジの他の部分分解斜視図である。
【図３】図１のヒンジの斜視図である。
【図４】本考案のヒンジを備えた電子機器の斜視図である。
【図５】図４の電子機器の一部拡大断面図である。
【図６ａ】図４の電子機器の作用側面図である。
【図６ｂ】図４の電子機器の作用側面図である。
【図６ｃ】図４の電子機器の一部を拡大した作用断面図である。
【図７】従来技術にしたがう従来型電子機器の作用側面図である。
【図８】従来技術にしたがう他の従来型電子機器の作用側面図である。
【考案を実施するための形態】
【００１３】
以下、本考案のヒンジおよびそのヒンジを備えた電子機器の実施例について、図面を参照しながら説明する。
図１ないし図３において、本考案によるヒンジは、ブラケット組立体１０、チルト組立体２０および回転組立体３０から成る。
【００１４】
上記ブラケット組立体１０は、２つのチルトブラケット１１および回転ブラケット１２から成る。
【００１５】
上記チルトブラケット１１は、取付翼とカム翼１３を有する。該取付翼は、側端面と規制溝１６を有する。該固定リング２３は、上記側面近くの取付翼に形成されている。上記カム翼１３は、上記取付翼の上記側端面に垂直に形成され、中心、外周縁１４、および長孔１５を有する。該長孔１５は、上記カム翼１３を貫いて形成されている。該カム翼１３は、複数の直径、すなわち、上記外周縁１４のいくつかの部分は大きな直径を、また、他の部分は小さい直径、を提供している。
【００１６】
上記チルト組立体２０は、上記ブラケット組立体１０に接続され、中央フレーム２１、２つのチルト軸２４、２つの作動盤２２、複数の摩擦座金２９および２つの固定リング２３から構成されている。
【００１７】
上記中央フレーム２１は、上記２つのチルトブラケット１１の間に取り付けられ、第１端面と、第２端面と、第１側面と、第２側面と、取付孔２５と、規制突起２６と、および２つの位置決め突起２７を有する。上記第２端面は、上記第１端面の反対側にある。上記第２側面は、上記第１側面の反対側にあり、上記第１および第２端面に隣接する。上記取付孔２５は、上記中央フレーム２１の第１および第２側面を貫いて形成されている。上記規制突起２６は、上記第２側面から縦軸方向に突出して形成されている。上記位置決め突起２７は、上記第２側面に形成され、上記取付孔２５に隣接する。
【００１８】
上記２つのチルト軸２４は、上記中央フレーム２１の第１および第２端面に各々形成されると共に該端面から横軸（上記縦軸に対して直交する軸：以下同じ）方向に突出し、上記チルトブラケット１１の長孔１５を貫いて、それぞれ可動自在に取り付けられている。各チルト軸２４は非円形断面となっている。
【００１９】
上記２つの作動盤２２は、上記チルト軸２４の周りにそれぞれ設けられている。各作動盤２２は、当接面と、作動突起２８と、および上記チルト軸２４に対応する形状に符合するように設計された中央孔を有する。上記作動盤２２の当接面は、上記チルトブラケット１１に対応するカム翼１３に当接する。上記作動突起２８は、上記作動盤２２の当接面に形成されていて、上記チルトブラケット１１のカム翼１３の外周縁１４に沿って摺動する。
【００２０】
上記摩擦座金２９は、上記チルト軸２４の周囲に取り付けられている。
上記２つの固定リング２３は、上記チルト軸２４にそれぞれ固定され、それぞれ上記チルトブラケット１１の取付翼に対応するようになっている。各固定リング２３は、環状端面と規制突起２３１を有する。該規制突起２３１は、上記固定リング２３の環状端面から突き出るように形成されており、対応する上記チルトブラケット１１の取付翼の上記規制溝１６に選択的に当接して、上記チルト軸２４の回転角を規制する。
【００２１】
上記回転組立体３０は、上記チルト組立体２０に連結され、回転軸３１、位置決め座金３３、複数の弾性座金３５、規制リング３４および固定リングから成る。
【００２２】
上記回転軸３１は、上記中央フレーム２１を貫いて回転自在に取り付けられ、該中央フレーム２１の取付孔２５を貫いて各々取り付けられ、上記回転ブラケット１２に強固に取り付けられており、取付部分３２を有する。該取付部分３２は、非円形断面を有し、上記中央フレーム２１の第２側面を貫いて突出しており、ネジ付き外壁を有してもよい。
【００２３】
上記位置決め座金３３は、上記回転軸３１の取付部分３２の周りに摺動可能に取り付けられており、当接面と、２つの位置決め溝３６と、および上記回転軸３１の取付部分３２の形状に符合するように設計された中央孔を有する。上記位置決め座金３３の当接面は、上記中央フレーム２１の第２側面に向かい合っている。上記２つの位置決め溝３６は、上記位置決め座金３３の当接面に形成され、上記中央フレーム２１の位置決め突起２７に選択的に係合して、位置決め機能を発揮する。
【００２４】
上記弾性座金３５は、上記回転軸３１の取付部分３２の周りに取り付けられており、上記位置決め座金３３に当接している。
【００２５】
上記規制リング３４は、上記回転軸３１の取付部分３２の周りに取り付けられており、環状端面と、規制突起３７と、および上記回転軸３１の取付部分３２の形状に符合するように設計された中央孔を有する。上記規制突起３７は、上記規制リング３４の環状端面に垂直に形成されており、上記中央フレーム２１の規制突起２６に選択的に当接して、上記回転軸３１の回転角を規制する。
【００２６】
上記固定リングは、上記回転軸３１の取付部分３２の周りに強固に取り付けられており、上記規制リング３４と、上記弾性座金３５と、および上記位置決め座金３３を保持し、上記取付部分３２のネジ外壁に螺合されるナットであっても良い。
【００２７】
図４および図５において、本考案の電子機器は、カバー４０と、ベース５０と、上述のヒンジと、および蓋６０から構成されている。上記カバー４０は、上記ベース５０に回動自在に連結されている。上述のヒンジは、上記カバー４０と上記ベース５０の間に取り付けられている。上記回転軸３１は、上記カバー４０に強固に連結され、または、上記回転軸１２は上記カバー４０に強固に取り付けても良い。上記チルトブラケット１１は、上記ベース５０に強固に取り付けられている。上記蓋６０は、上述のヒンジを覆い、上記ベースに強固に取り付けられている。
【００２８】
図６ａ，６ｂおよび６ｃにおいて、上記カバー４０は、上記ベース５０に対して枢着されている。上記カバー４０は、上記回転軸３１および上記中央フレーム２１を保持し、上記チルトブラケット１１に対して回動する。上記作動盤２２は、上記チルト軸２４で回動され、上記作動突起２８は、上記回転軸３１外周縁１４に沿って摺動する。上記作動突起２８が、上記回転軸３１の大径部に上記外周縁１４の部分を近づけると、上記チルト軸２４は上記回転軸３１の長孔１５内を摺動して、上記カバー４０を次第に上昇せしめる。
【００２９】
上述のヒンジおよび電子機器は、次のような利点を有する。ヒンジは、カバー４０がある角度に回動すると、カバー４０を持ち上げる。従って、電子機器の形状は、外観を損なうことはなく、このカバー４０は、蓋６０に当たることはない。さらに、上述の電子機器は、小さなサイズとなり、カバー４０が回動した時、円滑性に影響を与えることなく、見事な形状となる。
【００３０】
たとえ本考案の多数の特徴や利点が上述のように記載されていたとしても、本考案の構成や特徴は単なる実施例に過ぎず、本考案はこれらの実施例に限定されるものではない。特に本考案の構成部材の形、サイズおよび配置等の変更は、詳細な説明では十分ではなく、請求範囲において表現される用語は、広い一般的な意味にしたがって解釈されるべきである。
【符号の説明】
【００３１】
１０    ブラケット組立体
１１    チルトブラケット
１２    回転ブラケット
１３    カム翼
１４    外周縁
１５    長孔
１６    規制溝
２０    チルト組立体
２１    中央フレーム
２２    作動盤
２３    固定リング
２４    チルト軸
２５    取付孔
２６    規制突起
２７    位置決め突起
２８    作動突起
２９    摩擦座金
３０    回転組立体
３１    回転軸
３２    取付部分
３３    位置決め座金
３４    規制リング
３５    弾性座金
３６    位置決め溝
３７    規制突起
４０    カバー
５０    ベース
６０    蓋
【図１】
0003152020.tif 000003
【図２】
0003152020.tif 000004
【図３】
0003152020.tif 000005
【図４】
0003152020.tif 000006
【図５】
0003152020.tif 000007
【図６ａ】
0003152020.tif 000008
【図６ｂ】
0003152020.tif 000009
【図６ｃ】
0003152020.tif 000010
【図７】
0003152020.tif 000011
【図８】
0003152020.tif 000012
【手続補正書】
【提出日】平成21年5月13日(2009.5.13)
【手続補正１】
【補正対象書類名】実用新案登録請求の範囲
【補正対象項目名】全文
【補正方法】変更
【補正の内容】
【実用新案登録請求の範囲】
【請求項１】
側端を有する取付翼と、および、外端と上記カム翼を貫いて形成される長孔を有し、上記側端に形成されるカム翼を、それぞれが有する、２つのチルトブラケットから成るブラケット組立体と；
上記チルトブラケットの間に取り付けられ、第１端と、該第１端の反対側にある第２端と、第１側面と、第１および第２端に隣接する第２側面を有する中央フレームと、
上記中央フレームの第１および第２端にそれぞれ形成され、横軸方向に突出し、該チルトブラケットの長孔を貫いてそれぞれ可動自在に取り付けられる２つのチルト軸と、
上記チルト軸の周りにそれぞれ取付られ、対応するチルトブラケットのカム翼に当接する当接面と、作動盤の当接面に形成され、対応するチルトブラケットのカムの外端に沿ってスライドする当接面に形成される作動突起と、および、対応するチルト軸の形状に符合するように設計された中央孔を、それぞれが有する、２つの作動盤から成り、上記ブラケット組立体に連結される、チルト組立体と；および
上記チルト組立体に連結され、上記中央フレームを貫いて回転自在に縦軸方向に取り付けられる回転組立体と；
から構成されることを特徴とするヒンジ。
【請求項２】
上記ブラケット組立体が、上記回転組立体の回転軸に確実に取り付けられる回転ブラケットを有する
ことを特徴とする請求項１に記載のヒンジ。
【請求項３】
上記チルト組立体の中央フレームが、上記中央フレームの第１および第２側面を貫いて形成される取付孔と、該中央フレームの第２側面に形成され、縦軸方向に突出する規制突起と、および、上記第２側面に形成され、取付孔に当接する２つの位置決め突起を有し、
上記回転組立体の回転軸が、非円形断面を有し、上記中央フレームの第２側面を貫いて突出する取付部分を有し、および
上記回転組立体が、
上記回転軸の取付部分の周りにスライド自在に取り付けられ、上記中央フレームの第２側面に面する隣接面と、位置決め座金の隣接面に形成され、上記中央フレームの位置決め突起に選択的に係合する２つの位置決め溝と、上記回転軸の取付部分の形状に符合するように形成された中央孔を有する上記位置決め座金と、
上記回転軸の取付部分の周りに設けられ、位置決め座金に隣接する複数の弾性座金と、
上記回転軸の取付部分の周りに設けられ、環状端と、規制リングの環状端に横軸方向に形成され、上記中央フレームの規制突起に選択的に隣接する上記規制リングと、
上記回転軸の取付部分の形状に符合するように形成された中央孔と、および、上記回転軸の取付部分の周りに確実に取り付けられる固定リングと、
を有する、
ことを特徴とする請求項１に記載のヒンジ。
【請求項４】
上記チルト組立体の中央フレームが、
上記中央フレームの第１および第２側面を貫いて形成される取付孔と、上記中央フレームの第２側面に設けられ、縦軸方向に突出する規制突起と、および、上記第２側面に形成され、上記取付孔に当接する２つの位置決め突起とを有し、
上記回転組立体の回転軸が
非円形断面を有し、上記中央フレームの第２側面を貫いて突出する取付部分を有し、および
上記回転組立体が、
上記回転軸の取付部分の周りにスライド自在に設けられ、上記中央フレームの第２側面に面する隣接面と、位置決め座金の隣接面に形成され、上記中央フレームの位置決め突起に選択的に係合する２つの位置決め溝と、および、上記回転軸の取付部分の形状に符合するように形成された中央孔と、を有する上記位置決め座金と、上記回転軸の取付部分の周りに設けられ、位置決め座金に隣接する複数の弾性座金と、回転軸の取付部分の周りに設けられ、環状端と、規制リングの環状端に横軸方向に形成され、上記中央フレームの規制突起に選択的に当接する規制突起と、および、回転軸の取付部分の形状に符合するように形成された中央孔と、を有する規制リングと、および、上記回転軸の取付部分の周りに確実に取り付けられる固定リングと、を有する、
ことを特徴とする請求項２に記載のヒンジ。
【請求項５】
上記各チルトブラケットの取付翼が、上記取付翼の側端近くの取付翼に形成される規制溝を有し、および
上記チルト組立体の各固定リングが、環状端と、および、上記固定リングの環状端に横軸方向に改正され、対応するチルトブラケットの取付翼の規制溝に選択的に当接する規制突起と、と有する、
ことを特徴とする請求項１に記載のヒンジ。
【請求項６】
上記各チルトブラケットの取付翼が、上記取付翼の側端近くの取付翼に形成された規制溝を有し、および、
上記チルト組立体の各固定リングが、
環状端と、上記固定リングの環状端に横軸方向に形成され、対応するチルトブラケットの取付翼の規制溝に選択的に当接する規制突起と、
を有する
ことを特徴とする請求項４に記載のヒンジ。
【請求項７】
上記チルト組立体が、上記チルト軸の周りに取り付けられる複数の摩擦座金を有する
ことを特徴とする請求項１に記載のヒンジ。
【請求項８】
上記チルト組立体が、上記チルト軸の周りに取り付けられた複数の摩擦座金を有する
ことを特徴とする請求項６に記載のヒンジ。
【請求項９】
ベースと、カバーと、ヒンジと、蓋から構成される電子機器であって、
上記ヒンジが、上記ベースとカバーの間に連結され、
側端を有する取付翼と、および、外端と上記カム翼を貫いて形成される長孔を有し、上記側端に形成されるカム翼を、それぞれが有する、２つのチルトブラケットから成るブラケット組立体と、
上記チルトブラケットの間に取り付けられ、第１端と、該第１端の反対側にある第２端と、第１側面と、第１および第２端に隣接する第２側面を有する中央フレームと、
上記中央フレームの第１および第２端にそれぞれ形成され、横軸方向に突出し、該チルトブラケットの長孔を貫いてそれぞれ可動自在に取り付けられる２つのチルト軸と、
上記チルト軸の周りにそれぞれ取付られ、対応するチルトブラケットのカム翼に当接する当接面と、作動盤の当接面に形成され、対応するチルトブラケットのカムの外端に沿ってスライドする当接面に形成される作動突起と、および、対応するチルト軸の形状に符合するように設計された中央孔を、それぞれが有する、２つの作動盤から成り、上記ブラケット組立体に連結される、チルト組立体と、および
上記チルト組立体に連結され、上記中央フレームを貫いて回転自在に縦軸方向に取り付けられる回転組立体と、
から構成され、および、
上記ヒンジを覆い、上記ベースに確実に取り付けられる蓋と；
から構成されることを特徴とする電子機器。
【請求項１０】
上記ブラケット組立体が、上記回転組立体の回転軸に確実に取り付けられる回転ブラケットを有し、上記カバーに確実に取り付けられる、
ことを特徴とする請求項９に記載の電子機器。
【請求項１１】
上記チルト組立体の中央フレームが、
上記中央フレームの第１および第２側面を貫いて形成される取付孔と、上記中央フレームの第２側面に設けられ、縦軸方向に突出する規制突起と、および、上記第２側面に形成され、上記取付孔に当接する２つの位置決め突起とを有し、
上記回転組立体の回転軸が
非円形断面を有し、上記中央フレームの第２側面を貫いて突出する取付部分を有し、および
上記回転組立体が、
上記回転軸の取付部分の周りにスライド自在に設けられ、上記中央フレームの第２側面に面する隣接面と、上記位置決め座金の隣接面に形成され、上記中央フレームの位置決め突起に選択的に係合する２つの位置決め溝と、および、上記回転軸の取付部分の形状に符合するように形成された中央孔と、を有する位置決め座金と、上記回転軸の取付部分の周りに設けられ、位置決め座金に隣接する複数の弾性座金と、回転軸の取付部分の周りに設けられ、環状端と、規制リングの環状端に横軸方向に形成され、上記中央フレームの規制突起に選択的に当接する規制突起と、および、回転軸の取付部分の形状に符合するように形成された中央孔と、を有する規制リングと、および、上記回転軸の取付部分の周りに確実に取り付けられる固定リングと、を有する、
ことを特徴とする請求項９または１０に記載の電子機器。
【請求項１２】
上記各チルトブラケットの取付翼が、上記取付翼の側端近くの取付翼に形成される規制溝を有し、および
上記チルト組立体の各固定リングが、環状端と、および、上記固定リングの環状端に横軸方向に改正され、対応するチルトブラケットの取付翼の規制溝に選択的に当接する規制突起と、と有する、
ことを特徴とする請求項９ないし１１のいずれかの項に記載の電子機器。
【請求項１３】
上記チルト組立体が、上記チルト軸の周りに取り付けられる複数の摩擦座金を有する
ことを特徴とする請求項９ないし１２のいずれかの項に記載の電子機器。